(57)【要約】【課題】周囲の明るさに応じて、効率的に色彩の再現性と輝度とを個別に制御可能な照明装置及びヘッドアップディスプレイを提供する。【解決手段】照明装置１０は、カラー表示が可能な透過型の液晶表示部１５と、白色光を出射する白色光源１３Ｗと、白色光の分光特性と異なる分光特性である光を出射する特定色光源１３Ｃと、白色光源１３Ｗ及び特定色光源１３Ｃから出射された光を液晶表示部１５に照射する光学系１４と、周囲の明るさに応じて、白色光源１３Ｗ及び特定色光源１３Ｃがそれぞれ出射する光の光量を個別に制御する制御部１２とを備える。【選択図】図１
2016048843.tif 000002
【特許請求の範囲】
【請求項１】
カラー表示が可能な透過型の液晶表示部と、
白色光を出射する白色光源と、
前記白色光の分光特性と異なる分光特性である光を出射する特定色光源と、
前記白色光源及び前記特定色光源から出射された光を前記液晶表示部に照射する光学系と、
周囲の明るさに応じて、前記白色光源及び前記特定色光源がそれぞれ出射する光の光量を個別に制御する制御部と
を備える照明装置。
【請求項２】
前記制御部は、前記周囲の明るさが低いほど、前記特定色光源が出射する光の光量よりも前記白色光源が出射する白色光の光量を多く減少させることを特徴とする、請求項１に記載の照明装置。
【請求項３】
前記制御部は、前記周囲の明るさに係わらず、前記特定色光源のうち所定の警告色の光を出射する警告色光源が出射する光の光量を減少させず、又は前記周囲の明るさが低いほど、前記警告色光源が出射する光の光量を、前記白色光源及び前記警告色光源以外の前記特定色光源が出射する光の光量よりも小さく減少させることを特徴とする、請求項１又は請求項２に記載の照明装置。
【請求項４】
前記警告色は、赤色帯域から黄色帯域の間の帯域の色であることを特徴とする、請求項３に記載の照明装置。
【請求項５】
前記制御部は、前記白色光源及び前記特定色光源から出射された光に対して人間の標準視感度を考慮して導出される分光特性が、所定の分光特性となるように、前記白色光源及び前記特定色光源がそれぞれ出射する光の光量を個別に制御することを特徴とする、請求項１乃至請求項４のいずれか一項に記載の照明装置。
【請求項６】
前記特定色光源は、前記白色光源及び前記特定色光源から出射された光を照射した前記液晶表示部を透過する透過光の光量が、少なくとも青色帯域、緑色帯域及び赤色帯域において極大となる帯域の光を出射することを特徴とする、請求項１乃至請求項５のいずれか一項に記載の照明装置。
【請求項７】
前記特定色光源は、少なくとも青色光源、緑色光源及び赤色光源のいずれかを含むことを特徴とする、請求項１乃至請求項６のいずれか一項に記載の照明装置。
【請求項８】
前記白色光源及び前記特定色光源はＬＥＤであることを特徴とする、請求項１乃至請求項７のいずれか一項に記載の照明装置。
【請求項９】
請求項１乃至請求項８のいずれか一項に記載の照明装置を搭載したヘッドアップディスプレイ。
【発明の詳細な説明】
【技術分野】
【０００１】
本発明は、照明装置及びヘッドアップディスプレイに関する。
【背景技術】
【０００２】
従来、映像をスクリーン等に表示するための様々な照明装置が知られている。例えば、特許文献１には、高輝度表示用と高色彩再現用との切換えが可能な液晶プロジェクタ装置が記載されている。特許文献１の液晶プロジェクタ装置は、三原色の各色のそれぞれの波長領域の端部をカットする特性のフィルタを使用して切換えを行う。具体的には、この液晶プロジェクタ装置は、高色彩再現用のときは、このフィルタを分光前の光路に挿入して、純度の高い色が液晶パネルを照射するようにする。一方、この液晶プロジェクタ装置は、高輝度画像表示用のときは、このフィルタを光路からはずして、各色の全波長領域の光線が液晶パネルを照射するようにしている。
【先行技術文献】
【特許文献】
【０００３】
【特許文献１】特開２００１−１７４７７４号公報
【発明の概要】
【発明が解決しようとする課題】
【０００４】
特許文献１の液晶プロジェクタは、輝度の調整が可能であるものの、煩雑な構成が必要である。また、高色彩再現用のときには、フィルタを用いて光をカットしているため、フィルタでカットされるエネルギーの損失が発生する。
【０００５】
かかる事情に鑑みてなされた本発明の目的は、周囲の明るさに応じて、効率的に色彩の再現性と輝度とを個別に制御可能な照明装置及びヘッドアップディスプレイを提供することにある。
【課題を解決するための手段】
【０００６】
上記課題を解決するため、本発明に係る照明装置は、
カラー表示が可能な透過型の液晶表示部と、
白色光を出射する白色光源と、
前記白色光の分光特性と異なる分光特性である光を出射する特定色光源と、
前記白色光源及び前記特定色光源から出射された光を前記液晶表示部に照射する光学系と、
周囲の明るさに応じて、前記白色光源及び前記特定色光源がそれぞれ出射する光の光量を個別に制御する制御部と
を備える照明装置。
【０００７】
前記制御部は、前記周囲の明るさが低いほど、前記特定色光源が出射する光の光量よりも前記白色光源が出射する白色光の光量を多く減少させてもよい。
【０００８】
前記制御部は、前記周囲の明るさに係わらず、前記特定色光源のうち所定の警告色の光を出射する警告色光源が出射する光の光量を減少させず、又は前記周囲の明るさが低いほど、前記警告色光源が出射する光の光量を、前記白色光源及び前記警告色光源以外の前記特定色光源が出射する光の光量よりも小さく減少させてもよい。
【０００９】
前記警告色は、赤色帯域から黄色帯域の間の帯域の色であってもよい。
【００１０】
前記制御部は、前記白色光源及び前記特定色光源から出射された光に対して人間の標準視感度を考慮して導出される分光特性が、所定の分光特性となるように、前記白色光源及び前記特定色光源がそれぞれ出射する光の光量を個別に制御してもよい。
【００１１】
前記特定色光源は、前記白色光源及び前記特定色光源から出射された光を照射した前記液晶表示部を透過する透過光の光量が、少なくとも青色帯域、緑色帯域及び赤色帯域において極大となる帯域の光を出射してもよい。
【００１２】
前記特定色光源は、少なくとも青色光源、緑色光源及び赤色光源のいずれかを含んでもよい。
【００１３】
前記白色光源及び前記特定色光源はＬＥＤであってもよい。
【００１４】
また、本発明は上述した照明装置を搭載したヘッドアップディスプレイとしても実現しうる。
【発明の効果】
【００１５】
本発明によれば、周囲の明るさに応じて、効率的に色彩の再現性と輝度とを個別に制御可能な照明装置及びヘッドアップディスプレイを提供できる。
【図面の簡単な説明】
【００１６】
【図１】本発明の一実施形態に係る照明装置の概略構成を示すブロック図である。
【図２】照明装置をヘッドアップディスプレイに使用した場合の一例を模式的に示す図である。
【図３】白色光源と特定色光源との配置の一例を示す図である。
【図４】図３に示すように配置された白色光源及び特定色光源の出力を最大にした場合に、白色光源及び特定色光源から出射される光の分光特性を示す図である。
【図５】図３に示すように配置された白色光源の出力を停止し、特定色光源の出力を最大にした場合に、特定色光源から出射される光の分光特性を示す図である。
【図６】図４の分光特性の光を出射する白色光源及び特定色光源を使用した場合に液晶表示部を透過する透過光に対して、人が視認する分光特性を示す図である。
【図７】図５の分光特性の光を出射する特定色光源を使用した場合に液晶表示部を透過する透過光に対して、人が視認する分光特性を示す図である。
【図８】人の視感度特性の一例を示す図である。
【発明を実施するための形態】
【００１７】
以下、本発明の一実施形態について、図面を参照して詳細に説明する。
【００１８】
図１は、本発明の一実施形態に係る照明装置の概略構成を示すブロック図である。本実施形態に係る照明装置１０は、検出部１１と、光源制御部１２と、白色光源１３Ｗと、特定色光源１３Ｃと、集光光学系１４と、液晶表示部１５とを備える。照明装置１０は、例えば全体が筐体により覆われている。照明装置１０は、例えば、ヘッドアップディスプレイ及びプロジェクタ等に使用できるが、照明装置１０の用途はこれらに限られない。
【００１９】
図２は、照明装置１０をヘッドアップディスプレイに使用した場合の一例を模式的に示す図である。筐体に覆われた照明装置１０は、例えば車のダッシュボードに組み込まれており、カーナビゲーションシステム等に関する情報を示す画像を、車のフロントガラス等に投射する。本明細書では、以下、照明装置１０は、図２に示すように、車に搭載されるヘッドアップディスプレイに使用されるとして説明する。
【００２０】
図１において、検出部１１は、例えばフォトダイオードなどのセンサであって、照明装置１０の周囲の明るさを検出する。
【００２１】
光源制御部１２は、検出部１１が検出した照明装置１０の周囲の明るさに応じて、白色光源１３Ｗ及び特定色光源１３Ｃがそれぞれ出射する光の光量を、光源ごとに個別に制御する。光源制御部１２は、例えば、各光源に供給する電流のデューティ比を制御することにより、各光源から出射される光の光量を制御する。
【００２２】
光源制御部１２は、例えば、照明装置１０の周囲が明るいほど、白色光源１３Ｗ及び特定色光源１３Ｃから出射される光の光量を多くするように制御する。また、光源制御部１２は、照明装置１０の周囲が暗いほど、白色光源１３Ｗ及び特定色光源１３Ｃから出射される光の光量を少なくするように制御する。また、光源制御部１２は、照明装置１０の周囲が暗いほど、特定色光源１３Ｃが出射する光の光量よりも白色光源１３Ｗが出射する白色光の光量を多く減少させてもよい。光源制御部１２が行う光源の制御については、より詳細な説明を後述する。
【００２３】
白色光源１３Ｗ及び特定色光源１３Ｃは、液晶表示部１５に照射する光を出射する。白色光源１３Ｗ及び特定色光源１３Ｃは、例えばＬＥＤ（Light Emitting Diode：発光ダイオード）であり、本実施形態においては、以下、白色光源１３Ｗ及び特定色光源１３ＣはＬＥＤであるとして説明する。白色光源１３Ｗは、白色光を出射する。また、特定色光源１３Ｃは、特定の色に相当する帯域の色の光を出射する。
【００２４】
特定色光源１３Ｃは、例えば、白色光源１３Ｗ及び特定色光源１３Ｃから出射された光を照射した液晶表示部１５を透過する透過光の光量が、少なくとも青色帯域、緑色帯域及び赤色帯域において極大となる帯域の光を出射する光源である。特定色光源１３Ｃは、少なくとも、青色光源、緑色光源及び赤色光源のいずれかを含んでいてもよい。青色光源は、例えば波長４７０ｎｍ付近、緑色光源は、たとえば波長５３０ｎｍ付近、赤色光源は、例えば波長６３０ｎｍ付近に、それぞれ極大を有する光源である。特定色光源１３Ｃは、同一の帯域の光を出射する特定色光源１３Ｃを複数個含んでいてもよい。
【００２５】
特定色光源１３Ｃは、所定の警告色の光を出射する警告色光源を含んでいてもよい。警告色は、照明装置１０が投射する画像において、画像を見るユーザに注意を喚起する帯域の色である。警告色は、例えば、赤色帯域から黄色帯域の間の帯域の色である。以下、本明細書においては、警告色は赤色であるとして説明する。
【００２６】
図３は、白色光源１３Ｗと特定色光源１３Ｃとの配置の一例を示す図である。本実施形態では、図３に示すように、特定色光源１３Ｃは、青色光源１３ＣB、緑色光源１３ＣG及び赤色光源１３ＣRを、それぞれ２つ含む。図３に示す例では、青色光源１３ＣB及び赤色光源１３ＣRは、白色光源１３Ｗの周辺に配置され、緑色光源１３ＣGは、青色光源１３ＣB及び赤色光源１３ＣRよりも白色光源１３Ｗから離れた位置に配置されている。白色光源１３と特定色光源１３Ｃとの配置は、図３に示す例に限定されるものではなく、他の任意の配置とすることができる。また、白色光源１３Ｗ及び特定色光源１３Ｃの数量は、図３に示す例に限定されるものではない。例えば、照明装置１０は、白色光源１３Ｗを複数個含んでいてもよく、特定色光源１３Ｃが含む青色光源１３ＣB、緑色光源１３ＣG及び赤色光源１３ＣRの数量も、それぞれ２つでなくてもよい。また、白色光源１３Ｗと特定色光源１３Ｃとは、１つのチップ上に構成してもよい。
【００２７】
集光光学系１４は、例えば、屈折素子及び拡散板等を備え、白色光源１３Ｗ及び特定色光源１３Ｃから出射された光を均質化して、液晶表示部１５全面に集光する。集光光学系１４を構成する素子は、白色光源１３Ｗと特定色光源１３Ｃとの配置に応じて、液晶表示部１５全面に均質な光を集光して照射するように、適宜配置される。
【００２８】
液晶表示部１５は、透過型の表示パネルであり、カラー画像を形成する。液晶表示部１５は、例えば、偏光フィルタ、ガラス基板、電極、配向膜、液晶表示素子、カラーフィルタ等を備え、集光光学系１４から照射された光を変調して、カラー表示を行う。
【００２９】
次に、光源制御部１２が行う白色光源１３Ｗ及び特定色光源１３Ｃの制御の例について説明する。光源制御部１２は、照明装置１０の周囲が明るいほど、白色光源１３Ｗ及び特定色光源１３Ｃから出射させる光の光量を多くするように制御する。光源制御部１２は、照明装置１０の周囲の明るさが所定の明るさに達することにより、白色光源１３Ｗ及び特定色光源１３Ｃの出力を最大としたとき、照明装置１０の周囲がさらに明るくなった場合には、白色光源１３Ｗ及び特定色光源１３Ｃの出力を最大のまま維持する。
【００３０】
光源制御部１２が、白色光源１３Ｗ及び特定色光源１３Ｃから出射させる光の光量を多くするほど、液晶表示部１５を透過する透過光の輝度が高くなり、ユーザは、照明装置１０の周囲が明るくても、照明装置１０が投射する画像を視認しやすくなる。特に、光源制御部１２が白色光源１３Ｗ及び特定色光源１３Ｃの出力を最大にした場合、液晶表示部１５を透過する透過光の輝度が最も高くなる。例えば、照明装置１０が、ヘッドアップディスプレイに使用される場合、白色光源１３Ｗ及び特定色光源１３Ｃから出射される光の光量が少ないと、昼間のドライブにおいて、ユーザは、照明装置１０の周囲が明るいために、フロントガラスに投射された画像が見にくい場合がある。しかし、本実施形態に係る照明装置１０によれば、周囲が明るいほど、白色光源１３Ｗ及び特定色光源１３Ｃから出射させる光の光量を多くするため、照明装置１０が投射する画像をユーザが視認しやすい状態を維持しやすくなる。
【００３１】
光源制御部１２は、検出部１１により検出される照明装置１０の周囲の明るさが低いほど、白色光源１３Ｗ及び特定色光源１３Ｃが出射する光の光量を減少させる。これにより、周囲が暗い場合に、フロントガラスに投射される画像の輝度が減少されるため、ユーザは、画像を眩しく感じにくくなる。例えば、夜間のドライブにおいて、光源制御部１２は、周囲が暗いほど、白色光源１３Ｗ及び特定色光源１３Ｃから出射される光の光量を減少させるため、ユーザは、フロントガラスに投射された画像を眩しく感じにくくなり、フロントガラスの前方の視界を確保しやすくなる。
【００３２】
光源制御部１２は、照明装置１０の周囲の明るさに応じて、白色光源１３Ｗから出射される光の光量を、特定色光源１３Ｃから出射される光の光量よりも大きく低減するように制御する。例えば、光源制御部１２は、照明装置１０の周囲の明るさが低い場合に、特定色光源１３Ｃが出射する光の光量を減少させずに、照明装置１０の周囲の明るさの低さに応じて、白色光源１３Ｗが出射する光の光量を減少又は白色光源１３Ｗの出力を停止する。光源制御部１２は、特定色光源１３Ｃが出射する光の光量を調整するように制御してもよい。光源制御部１２は、白色光源１３Ｗが出射する光の光量を減少又は白色光源１３Ｗの出力を停止することにより、フロントガラスに投射される画像の輝度を抑えることができるため、ユーザは眩しさを感じにくくなる。また、白色光源１３Ｗのみを液晶表示部１５に透過させ、透過光を人が視認する分光特性は、必ずしも色彩の再現性が高いものではない。光源制御部１２が、特定色光源１３Ｃが出射する光の光量を調整する場合には、白色光源１３Ｗのみを使用する場合と比較して、特定色光源１３Ｃが出射する光により、色彩の再現性を向上させやすくなる。
【００３３】
また、光源制御部１２は、周囲の明るさが低いほど、特定色光源１３Ｃが出射する光の光量よりも白色光源１３Ｗが出射する白色光の光量を多く減少させてもよい。かかる制御によって、照明装置１０は、周囲の明るさに応じて、白色光源１３Ｗにより、ユーザがフロントガラスに投射される画像を視認するために必要な輝度を維持しつつ、特定色光源１３Ｃにより、フロントガラスに投射される画像の色彩の再現性を所定の水準以上に維持できる。
【００３４】
図４乃至図７は、光源制御部１２が、白色光源１３Ｗ及び特定色光源１３Ｃの出力を最大にした場合と、白色光源１３Ｗの出力を停止し、特定色光源１３Ｃの出力を最大にした場合との比較を示す図である。図４は、図３に示すように配置された白色光源１３Ｗ及び特定色光源１３Ｃの出力を最大にした場合に、白色光源１３Ｗ及び特定色光源１３Ｃから出射される光の分光特性を示す図である。また、図５は、図３に示すように配置された白色光源１３Ｗの出力を停止し、特定色光源１３Ｃの出力を最大にした場合に、特定色光源１３Ｃから出射される光の分光特性を示す図である。図４及び図５を比較すると、図５の分光特性では、図４の分光特性と比較して、白色光源１３Ｗの影響による光のエネルギーが取り除かれている。
【００３５】
図６は、図４の分光特性の光を出射する白色光源１３Ｗ及び特定色光源１３Ｃを使用した場合に液晶表示部１５を透過する透過光に対して、人が視認する分光特性を示す図である。すなわち、図６は、透過光に対して、図８に一例として示す人の視感度特性の影響を含めた分光特性を示す図である。図８の視感度特性は、例えば人の標準視感度特性である。また、図７は、図５の分光特性の光を出射する特定色光源１３Ｃを使用した場合に液晶表示部１５を透過する透過光に対して、人が視認する分光特性を示す図である。図６及び図７を比較すると、図７の分光特性では、図６の分光特性と比較して、白色光源１３Ｗの影響による光のエネルギーが取り除かれており、これは、ユーザが眩しさを感じにくくなることを示している。また、図７の分光特性を参照すると、青色領域ＢB、緑色領域ＢG及び赤色領域ＢRの中央付近にそれぞれ極大が存在するため、照明装置１０は、色彩の再現性を所定の水準以上に維持している。
【００３６】
ここで、色彩の再現性は、例えば、ＮＴＳＣ（National Television System Committee：全米テレビジョン放送方式標準化委員会）比に基づいて評価される。ＮＴＳＣ比は、ＣＩＥ（Commission internationale de l'eclairage：国際照明委員会）表色系の色度座標において、青色、緑色及び赤色の３点の座標で囲まれる三角形の面積により表される指標であり、具体的には、ＮＴＳＣにより定められた標準方式の青色、緑色及び赤色の３点の座標により囲まれる面積に対する比率により表される。すなわち、ＮＴＳＣ比が高いほど、色彩の再現性が高いと評価することができ、光源制御部１２は、ＮＴＳＣ比が高くなるように、白色光源１３Ｗ及び特定色光源１３Ｃから出射させる光の光量を調整する。なお、色彩の再現性は、ＮＴＳＣ比の他、例えば白色度等、他の基準に基づいて評価することもできる。
【００３７】
表１は、例１から例３の場合において、輝度とＮＴＳＣ比とを比較したものである。例１は、光源として白色光源１３Ｗのみを２つ備える照明装置において、２つの白色光源１３Ｃの出力が最大となっている場合の例である。例２は、本実施形態に係る照明装置１０が有する光源（図３に示す光源）において、１つの白色光源１３Ｗ、２つの青色光源１３ＣB、２つの緑色光源１３ＣG及び２つの赤色光源１３ＣRの出力がそれぞれ最大となっている場合の例である。例３は、本実施形態に係る照明装置１０が有する光源において、白色光源１３Ｗの出力を停止し、２つの青色光源１３ＣB及び２つの赤色光源１３ＣRに供給する電流のデューティ比をそれぞれ３８．９％とし、２つの緑色光源１３ＣGに供給する電流のデューティ比をそれぞれ６２．９％とした場合の例である。輝度比は、液晶表示部１５を透過する透過光の輝度を、例１の場合を１として示したものである。
【００３８】
【表１】
2016048843.tif 000003
【００３９】
表１を参照すると、例２の場合、例１の場合と比較して、液晶表示部１５を透過する透過光の輝度が高くなっている。また、例２の照明装置１０は、青色光源１３ＣB、緑色光源１３ＣG及び赤色光源１３ＣRを備えることにより、例１の場合と比較して、ＮＴＳＣ比が向上している。これは、例１の場合よりも例２の場合の方が、色彩の再現性が高くなっていることを示している。
【００４０】
また、例３は、例２と比較して、白色光源１３Ｗの出力を停止するとともに、青色光源１３ＣB、緑色光源１３ＣG及び赤色光源１３ＣRが出射する光の光量を減少させるように調整したものであるため、輝度比は大きく減少している。そのため、例３の場合には、照明装置１０により投射される画像の輝度を抑えることができ、ユーザは眩しさを感じにくくなる。また、例３では、青色光源１３ＣB、緑色光源１３ＣG及び赤色光源１３ＣRが出射する光の光量を調整することにより、例２と比較してＮＴＳＣ比がさらに高まり、色彩の再現性がさらに向上されている。
【００４１】
光源制御部１２は、白色光源１３Ｗ及び特定色光源１３Ｃから出射された光に対して人間の標準視感度を考慮して導出される分光特性が、所定の分光特性となるように、白色光源１３Ｗ及び特定色光源１３Ｃがそれぞれ出射する光の光量を個別に制御することもできる。所定の分光特性は、例えば、照明装置１０の周囲の明るさに応じて制御される輝度において、ＮＴＳＣ比等により評価される色彩の再現性が所定の水準以上となる分光特性である。かかる光源制御部１２の制御により、照明装置１０は、色彩の再現性を所定の水準以上に維持できる。
【００４２】
光源制御部１２は、照明装置１０の周囲の明るさが低いほど、警告色光源である赤色光源１３ＣRが出射する赤色光の光量を、白色光源１３Ｗ及び警告色光源（赤色光源１３ＣR）以外の特定色光源１３Ｃが出射する光の光量よりも小さく減少させてもよい。例えば、光源制御部１２は、赤色光源１３ＣRから出射される赤色光の光量を、白色光源１３Ｗ、青色光源１３ＣB及び緑色光源１３ＣGから出射される光の光量よりも小さく減少させる。警告色である赤色で投射される情報は、ユーザに認識される必要性が高いが、その一方で、フロントガラスに赤色で投射される画像の情報は、夜間ユーザが認識しにくい。光源制御部１２が、赤色光源１３ＣRから出射される赤色光の光量を、他の光源から出射される光の光量よりも小さく減少させることにより、赤色で投影される画像が、他の色で投影される画像と比較して視認性が低下しにくいため、ユーザは赤色で投射される画像の情報を見落としづらくなり、注意喚起を引き立てやすくなる。
【００４３】
さらに、光源制御部１２は、照明装置１０の周囲の明るさに係わらず、警告色光源（赤色光源１３ＣR）が出射する光の光量を減少させなくてもよい。この場合、他の光源から出射される光の光量は減少する一方、赤色光源１３ＣRから出射される赤色光の光量は減少しないため、赤色で投影される画像の視認性がさらに低下しにくくなり、注意喚起を引き立てやすくなる。
【００４４】
このように、本実施の形態に係る照明装置１０では、光源制御部１２が、検出部１１が検出した照明装置１０の周囲の明るさに応じて、白色光源１３Ｗ及び特定色光源１３Ｃがそれぞれ出射する光の光量を個別に制御する。すなわち、光源制御部１２は、照明装置１０の周囲が明るいほど白色光源１３Ｗ及び特定色光源１３Ｃがそれぞれ出射する光の光量を多くすることにより、輝度を増加させ、照明装置１０の周囲が暗いほど白色光源１３Ｗ及び特定色光源１３Ｃがそれぞれ出射する光の光量を少なくすることにより、輝度を減少させる。そのため、照明装置１０は、周囲の明るさに応じて、ユーザが視認しやすい画像を投影することができる。また、光源制御部１２は、照明装置１０の周囲の明るさに基づいて、白色光源１３Ｗ及び特定色光源１３Ｃが出射する光の光量を個別に制御することにより、色彩の再現性を制御できる。照明装置１０は、このようにして、特許文献１に記載された液晶プロジェクタと比較して、より簡潔な構成で、色彩の再現性と輝度とを制御可能である。また、特許文献１の液晶プロジェクタのようにフィルタにより光をカットするという構成を有さないため、特許文献１の液晶プロジェクタと比較して、照明装置１０から出射される光のエネルギーを、より低減させることができる。そのため、照明装置１０は、周囲の明るさに応じて、効率的に色彩の再現性と輝度とを個別に制御可能である。
【００４５】
照明装置１０をヘッドアップディスプレイに使用する場合には、照明装置１０は、車の例えばダッシュボード等の限られた空間に配置される必要があるが、照明装置１０は、上述の構成により小型な構成で、色彩の再現性及び輝度の向上及び調整を実現できる。
【００４６】
なお、本発明は、上記実施の形態にのみ限定されるものではなく、幾多の変形または変更が可能である。例えば、各構成部に含まれる機能等は論理的に矛盾しないように再配置可能であり、複数の構成部を１つに組み合わせたり、或いは分割したりすることが可能である。
【００４７】
例えば、上述の実施形態においては、特定色光源１３Ｃが、それぞれ２つの青色光源１３ＣB、緑色光源１３ＣG及び赤色光源１３ＣRを備えるとして説明したが、特定色光源１３Ｃの構成はこれに限られない。特定色光源１３Ｃは、例えば、白色光源１３Ｗから出射される白色光の分光特性によっては、青色光源１３ＣB、緑色光源１３ＣG及び赤色光源１３ＣRのいずれかを備えていなくてもよい。また、特定色光源１３Ｃは、白色光の分光特性に応じて、それぞれ異なる数量の青色光源１３ＣB、緑色光源１３ＣG及び赤色光源１３ＣRを備えていてもよい。
【符号の説明】
【００４８】
１０  照明装置
１１  検出部
１２  光源制御部
１３Ｗ  白色光源
１３Ｃ  特定色光源
１４  集光光学系
１５  液晶表示部
【図１】
2016048843.tif 000004
【図２】
2016048843.tif 000005
【図３】
2016048843.tif 000006
【図４】
2016048843.tif 000007
【図５】
2016048843.tif 000008
【図６】
2016048843.tif 000009
【図７】
2016048843.tif 000010
【図８】
2016048843.tif 000011